(57)【特許請求の範囲】
【請求項１】
車台３５上の一側に脱穀装置を搭載して該脱穀装置の前側に刈取装置３６を支持し、前記車台３５上における脱穀装置とは反対の側にグレンタンク３７を設けたコンバインにおいて、前記脱穀装置の脱穀室１の穀稈移送口２のフィ−ドチェン３に沿う挟扼杆４の内側に、前縁を傾斜縁８とした複数の搖動シ−ルプレ−ト７を配置し、該挟扼杆４の内側方の脱穀カバ−１９部に一体のホルダプレ−ト３２前部に、前縁を傾斜縁５とした固定シ−ルプレ−ト６を設けて、該固定シ−ルプレ−ト６の後端部を前記挟扼杆４側の搖動シ−ルプレ−ト７の前端傾斜縁８部にオ−バ−ラップさせ、前記グレンタンク３７を、底部に排出オ−ガ３９を有した下部タンク４０上に合成樹脂製の上部タンク４１を重合させて該上部タンク４の下端部を下部タンク４０に対してフック４７によって固定すると共に該上部タンク４１の上端部を脱穀装置の揚穀機４６に対してフック４５によって固定する構成とし、前記下部タンク４０の外側の側板４２を底部のヒンジ４３回りに下側へ回動させて開くことができるように構成して、該下部タンク４０の外側の側板４２を下方へ回動させておくことによって上部タンク４１を外側へ倒した姿勢として該上部タンク４１の着脱を容易に行うことができるものとし、前記グレンタンク３７の後側に縦排穀筒４８を旋回自在に設け、該縦排穀筒４８の下端部を前記下部タンク４０の排出オ−ガ３９の後端に連設させると共に該縦排穀筒４８の上端部に横排穀筒４９を上下回動自在に連通させ、自動手動切替スイッチＳＷとオ−ガセットダイヤル５５と液晶ディスプレイ５６とを操縦台に配置して、自動手動切替スイッチＳＷを自動張出位置に切替えると、予めオ−ガセットダイヤル５５を操作して液晶ディスプレイ５６に設定表示した横排穀筒４９の排穀位置にまで前記横排穀筒４９が自動旋回するように制御したことを特徴とするコンバイン。
【発明の詳細な説明】
【０００１】
【発明の属する技術分野】
この発明は、コンバインに関するものである。
【０００２】
【従来の技術】
脱穀装置の穀稈移送口には、フィ−ドチェンと挟扼杆とが穀稈を挾持して搬送するように設けられている。
【０００３】
【発明が解決しようとする課題】
上述のように、脱穀装置の穀稈移送口には、フィ−ドチェンと挟扼杆とが穀稈を挾持して搬送するように設けられているが、脱穀室で脱穀される穀粒がこの移送口の間隙部から外側へ飛び出すことが、特にこの移送口の前部において多い。これを防止するために、この穀稈移送口や、挟扼杆の脱穀室側に沿ってゴム板等からなるシ−ルプレ−トを設けるが、該挾持搬送の穀稈との摩擦抵抗を受けて、めくれたり、曲げられることが多く、穀粒の飛散防止効果が十分でない。
【０００４】
【課題を解決するための手段】
この発明は、車台３５上の一側に脱穀装置を搭載して該脱穀装置の前側に刈取装置３６を支持し、前記車台３５上における脱穀装置とは反対の側にグレンタンク３７を設けたコンバインにおいて、前記脱穀装置の脱穀室１の穀稈移送口２のフィ−ドチェン３に沿う挟扼杆４の内側に、前縁を傾斜縁８とした複数の搖動シ−ルプレ−ト７を配置し、該挟扼杆４の内側方の脱穀カバ−１９部に一体のホルダプレ−ト３２前部に、前縁を傾斜縁５とした固定シ−ルプレ−ト６を設けて、該固定シ−ルプレ−ト６の後端部を前記挟扼杆４側の搖動シ−ルプレ−ト７の前端傾斜縁８部にオ−バ−ラップさせ、前記グレンタンク３７を、底部に排出オ−ガ３９を有した下部タンク４０上に合成樹脂製の上部タンク４１を重合させて該上部タンク４の下端部を下部タンク４０に対してフック４７によって固定すると共に該上部タンク４１の上端部を脱穀装置の揚穀機４６に対してフック４５によって固定する構成とし、前記下部タンク４０の外側の側板４２を底部のヒンジ４３回りに下側へ回動させて開くことができるように構成して、該下部タンク４０の外側の側板４２を下方へ回動させておくことによって上部タンク４１を外側へ倒した姿勢として該上部タンク４１の着脱を容易に行うことができるものとし、前記グレンタンク３７の後側に縦排穀筒４８を旋回自在に設け、該縦排穀筒４８の下端部を前記下部タンク４０の排出オ−ガ３９の後端に連設させると共に該縦排穀筒４８の上端部に横排穀筒４９を上下回動自在に連通させ、自動手動切替スイッチＳＷとオ−ガセットダイヤル５５と液晶ディスプレイ５６とを操縦台に配置して、自動手動切替スイッチＳＷを自動張出位置に切替えると、予めオ−ガセットダイヤル５５を操作して液晶ディスプレイ５６に設定表示した横排穀筒４９の排穀位置にまで前記横排穀筒４９が自動旋回するように制御したことを特徴とするコンバインの構成とする。
【０００５】
【発明の効果】
フィードチェン３と挾扼杆４との間に挾持されて搬送される穀稈は、穂先部を穀稈移送口２から脱穀室１内に供給させて脱穀を行わせる。このとき挾扼杆４の該脱穀室１側では固定シールプレート６や搖動シールプレート７が移送穀稈上面に摺接されていて、挾扼搬送される穀稈層が薄くなっても、穀稈搬送に切れ目ができても、これらシールプレート６，７によって穀粒の飛出が防止される。しかも各シールプレート６，７は前縁が傾斜縁５，８に形成されているため、搬送穀稈が摺接しても引っ掛りやシールめくれは少く、円滑な穀稈搬送の案内が行われるため、各シールプレート６，７の正確なシール姿勢を維持させることができ、構成も簡単である。特に、穀稈移送口２の前部では、固定シールプレート６と搖動シールプレート７とがオーバラップしているために、傾斜縁８の下側に間隙を生じ難く、多量脱穀における穀粒飛散を有効に防止できる。
【０００６】
また、上部タンク４１の着脱時には、下部タンク４０の外側の側板４２を下方へ回動させておくことによって、上部タンク４１を外側へ倒した姿勢として着脱を容易に行うことができる。また、操縦台に配置した自動手動切替スイッチＳＷを自動張出位置に切替えることによって、予めオ−ガセットダイヤル５５を操作して液晶ディスプレイ５６に設定表示した横排穀筒４９の排穀位置にまで前記横排穀筒４９を自動旋回させることができる。
【０００７】
【発明の実施の形態】
コンバインに装着する脱穀装置を例示すると、脱穀室１には前後方向に沿う扱胴軸９によって回転される扱胴１０を設け、この脱穀室１から掻き出されるわら屑を受けて、処理胴軸１１回りに回転する処理胴１２によって脱穀処理する処理室１３を設ける複胴形態の構成としている。これら脱穀室１や処理室１３等の後部には吸引排塵機１４を設け、下側には搖動選別棚１５を支架する選別室１６や、圧風唐箕１７等を配置している。
【０００８】
前記脱穀室１は下側に沿って脱穀網１８を有し、上側には開閉可能な脱穀カバー１９を有し、軸方向の前側には穀稈供給口２０を有し、後側には排塵室２１に連通する排稈口２２を有する。前記処理室１３との連通部であるわら屑掻出口２３は、脱穀室１の後端部で穂先側に対向して形成される。２４は処理室１３の処理網、２５はわら屑排出口である。
【０００９】
前記脱穀カバー１９は、カバー軸２６の回りに上下回動して開閉でき、先端部の穀稈移送口２に沿って挾扼台２７が固定され、この挾扼台２７に沿って挾扼杆４が設けられる。挾扼杆４は、伏コ字状断面の所定長さで、多数ピン２８連結されるもので、この連結ピン２８部が挾扼台２７のボス２９に上下摺動自在に挿通のロッド３０に支持され、ばね３１によって下方へ弾発される。このような一連の挾扼杆４は移送口２下側のフィードチェン３の上側に押圧されて、このフィードチェン３との間に穀稈を挾持して搬送することができる。
【００１０】
前記挾扼杆４の内縁部４Ａはフィードチェン３の内側、即ち脱穀室１側に位置し、外縁部４Ｂはフィードチェン３の幅の中央部に対向している。この挾扼杆４の内縁部４Ａに搖動シールプレート７をボルト・ナット３３等で取付け、挾扼杆４と一体的に上下に挾扼搖動させる。
【００１１】
前記脱穀カバー１９の下端縁で、挾扼杆４の内側に対向してホルダプレート３２を取付ける。このホルダプレート３２の外側面に沿って、挾扼杆４、及びこの挾扼杆４の内側に取付ける搖動シールプレート７が接近して上下動する。
【００１２】
ホルダプレート３２の前部にはゴム製の固定シールプレート６が下方に突出してリベット３４止めで設けられ、前縁を傾斜縁５にしている。又、該挾扼杆４のうち、この固定シールプレート６より後位に配置される挾扼杆４の内側面には、ゴム製の搖動シールプレート７が取付けられて、各前縁は傾斜縁８を有する。これらホルダプレート３２側の固定シールプレート６後端部と、挾扼杆４側に配置の前端部の搖動シールプレート７の傾斜縁８部とが、内外に重号してオーバラップさせた関係位置に構成され、挾扼移送穀稈の移送を円滑に行わせる。後続の搖動シールプレート７は、前側の搖動シールプレート７の後端部に若干オーバラップさせている。
【００１３】
これら固定シールプレート６及びこれにオーバラップされる搖動シールプレート７の設けられる穀稈移送口２の前部では、脱穀室１側からの穀粒の飛散量も多いが、これら固定シールプレート６の後端部と搖動シールプレート７の傾斜縁８部とのオーバラップにより、この傾斜縁８下部のデルタ域が塞がれて、穀稈移送口２から外方への穀粒の飛出を有効に防止する。しかも、これら内外にオーバラップされたシールプレート６，７部が穀稈の搬送案内や穀粒飛散等の抵抗を受けても、傾斜縁の形成によってめくれ現象が少くなる。
【００１４】
コンバインは、車台３５上の一側に前記脱穀装置を搭載して、この前側に支持する刈取装置３６で刈取搬送される穀稈を、フィードチェン３と挾扼杆４との間に挾持させて後方へ搬送しながら、穂先部を穀稈供給口２０から脱穀室１内へ供給させて脱穀させる。この脱穀装置と反対側の走行車台３５上には、グレンタンク３７が設けられて、脱穀装置で脱穀選別された取出穀粒を受けて収容できる。３８はこのグレンタンク３７の前方に配置のキャビンで、操縦台や操縦席を内装する。
【００１５】
前記グレンタンク３７は、底部に排出オーガ３９を有した下部タンク４０と、この下部タンク４０上に重合させる合成樹脂製の上部タンク４１とからなり、この下部タンク４０の外側の側板４２は底部のヒンジ４３回りに下側へ回動させて開くことができる。４４は前後のロック金具で、側板４２の閉鎖位置を固定し、又、この固定を解除できる。４５は上部タンク４１の上端部を脱穀装置の揚穀機４６に対して固定するフック、４７はこの上部タンク４の下端部を下部タンク４０に対して固定するフックである。
【００１６】
前記上部タンク４１の着脱時には、該下部タンク４０の外側の側板４２を下方へ回動しておくことによって、上部タンク４１を外側へ倒した姿勢として着脱を容易に行うことができる。
【００１７】
前記グレンタンク３７の後側には縦排穀筒４８を旋回自在に設け、この縦排穀筒４８の下端部は下部タンク４０の排出オーガ３９の後端に連設させ、上端部は横排穀筒４９に連通させる。この横排穀筒４９はこの連通部の回りに上下回動自在である。５０はこの排穀口、５１はこの受座である。これら縦排穀筒４８及び横排穀筒４９は、該排穀オーガ３９から連動されるオーガを内装し、モータや伸縮シリンダ等の駆動によって、旋回や、上下回動させるコントローラＣＰＵを有する。
【００１８】
例えば、前記旋回を旋回モータＭ１の電動によって行わせ、上下回動をギヤドモータからなる上下回動モータＭ２の電動によって行わせる構成とすれば、受座５１に収納された横排穀筒４９の排穀口５０を目的の排穀位置へ移動させるには、自動と手動とに切替える自動手動切替スイッチＳＷを操作して、手動張出位置に切替えたときは、排穀レバー５２の操作で旋回モータＭ１や上下回動モータＭ２等を電動して行うことができる。
【００１９】
排穀レバー５２の操作パネル５３には十字形態のレバー溝５４が上、下、左、右に向けて形成され、これら各位置に排穀レバー５２を操作することにより、上下回動モータＭ２を正、逆転駆動して、横排穀オーガ４９を上昇、下降させ、又、旋回モータＭ１を正、逆転駆動して、縦排穀オーガ４８を横排穀オーガ４９と一体として左回り、又は右回りに旋回させて、排穀口５０を目的位置に張り出させたり、収納させることができる。
【００２０】
又、自動手動切替スイッチＳＷを自動張出位置に切替えたときは、オーガセットダイヤル５５を予め操作して液晶ディスプレイ５６に設定表示Ａされる横排穀筒４９の排穀位置に自動旋回制御される。即ち、該切替スイッチＳＷの自動張出位置への切替えによって、モータＭ２により横排穀筒４９が上限位置に達して、モータＭ１により指定の排穀位置へ旋回される。この横排穀筒４９の旋回はポテンショメータからなるオーガポジションセンサ５７が検出していて、このセンサ５７の検出値がディスプレイ５６に設定された設定値と一致したときモータＭ１の電動は停止され、排穀口５０は設定位置で停止される。
【００２１】
又、このような張出位置の横排穀筒４９を前記受座５１に自動収納させるときは、前記切替スイッチＳＷを自動収納位置へ操作することによって、該張出行程と逆の行程を作動される。
【００２２】
なお、前記自動手動切替スイッチＳＷ、オーガセットダイヤル５５、及び液晶ディスプレイ５６等は、キャビン３８内の操縦台に配置されている。
【図面の簡単な説明】
【図１】挟扼杆部の側面図、平面図、及びその一部の正断面図。
【図２】ホルダプレ−ト部の側面図と、その一部の正断面図。
【図３】挟扼杆部の側面図。
【図４】穀稈移送口部の正断面図。
【図５】脱穀装置の正面図。
【図６】その側面図。
【図７】グレンタンク部の斜視図と、その作用を示す背面図。
【図８】排穀筒部の制御ブロック図。
【図９】コンバインの左側面図。
【図１０】コンバインの右側面図。
【符号の説明】
１  脱穀室
２  穀稈移送口
３  フィ−ドチェン
４  挟扼杆
５  傾斜縁
６  固定シ−ルプレ−ト
７  搖動シ−ルプレ−ト
８  傾斜縁
３２  ホルダプレ−ト
３５ 車台
３６ 刈取装置
３７ グレンタンク
３９ 排出オ−ガ
４０ 下部タンク
４１ 上部タンク
４２ 側板
４３ ヒンジ
４５ フック４５
４６ 揚穀機
４７ フック
４８ 縦排穀筒
４９ 横排穀筒
５５ オ−ガセットダイヤル
５６ 液晶ディスプレイ
Ｍ１ 旋回モ−タ
ＳＷ 自動手動切替スイッチ
【図１】
0003620217.tif 000002
【図２】
0003620217.tif 000003
【図３】
0003620217.tif 000004
【図４】
0003620217.tif 000005
【図５】
0003620217.tif 000006
【図６】
0003620217.tif 000007
【図７】
0003620217.tif 000008
【図８】
0003620217.tif 000009
【図９】
0003620217.tif 000010
【図１０】
0003620217.tif 000011